(57)【要約】      （修正有）【課題】建物ユニットの天井裏に複数のダクトを配設するにあたり、その配設態様に関する自由度の制約を少なくすることができる建物におけるダクト設置構造を提供する。【解決手段】建物１０は、複数の建物ユニットが互いに組み合わせられることにより構成され、建物ユニットの天井部２０Ａ、２０Ｂ、２０Ｃには、天井大梁２２により支持された上側天井面材２７と、それよりも下方に配置された下側天井面材５６とが設けられ、上側天井面材２７の上方には天井大梁２２により囲まれた上側天井裏空間５８が形成されており、上側天井面材２７と下側天井面材５６との間には下側天井裏空間５９が形成され、上側天井裏空間５８には屋外の空気を屋内空間１６，１７、１８、１９へ向けて搬送する給気ダクト７４が配設されており、下側天井裏空間５９には空調装置６１により生成される空調空気を搬送する空調ダクト６２が配設されている。【選択図】図３
2015200101.tif 000002
【特許請求の範囲】
【請求項１】
天井梁、床梁及び柱を有してなる複数の建物ユニットが互いに組み合わされることで構築されるユニット式の建物に適用され、
前記建物ユニットの天井裏には、空気を搬送する通気ダクトとして第１ダクト及び第２ダクトが設置されている建物におけるダクト設置構造であって、
前記建物ユニットの天井部には、下がり天井が設けられており、
前記下がり天井の上方には、天井裏空間が形成されており、
前記天井裏空間は、前記天井梁としての天井大梁により囲まれて形成された上側天井裏空間と、前記天井大梁よりも下方であってかつ前記下がり天井よりも上方に形成された下側天井裏空間とを有し、
前記上側天井裏空間には前記第１ダクトが配設されており、前記下側天井裏空間には前記第２ダクトが配設されていることを特徴とする建物におけるダクト設置構造。
【請求項２】
前記第１ダクトは、その断面の大きさが小さい小ダクトであり、
前記第２ダクトは、その断面の大きさが大きい大ダクトであることを特徴とする請求項１に記載の建物におけるダクト設置構造。
【請求項３】
隣り合う前記建物ユニットの前記上側天井裏空間は、それら各建物ユニットの前記天井大梁に形成された梁貫通孔を介して互いに連通しており、
前記第１ダクトは、前記梁貫通孔を挿通可能な大きさで形成されており、
前記第２ダクトは、前記梁貫通孔を挿通不能な大きさで形成されていることを特徴とする請求項１又は２に記載の建物におけるダクト設置構造。
【請求項４】
前記隣り合う建物ユニットにはそれぞれ前記下側天井裏空間が形成されており、
前記第１ダクトは、前記梁貫通孔を通じて前記隣り合う建物ユニットの前記上側天井裏空間に跨がって配設されており、
前記第２ダクトは、前記隣り合う建物ユニットの前記下側天井裏空間に跨がって配設されていることを特徴とする請求項３に記載の建物におけるダクト設置構造。
【請求項５】
前記第１ダクトは、屋外の空気を屋内へ向けて又は屋内の空気を屋外へ向けて搬送する換気ダクトであり、
前記第２ダクトは、空調装置により生成される空調用の空気を搬送する空調ダクトであることを特徴とする請求項１乃至４のいずれか一項に記載の建物におけるダクト設置構造。
【請求項６】
前記換気ダクトには、当該換気ダクトを通じた空気の搬送を行う換気装置が接続されており、
前記換気装置は、前記空調ダクトが設けられた前記下側天井裏空間又はそれとは別の下側天井裏空間に設置されており、
前記換気ダクトは、前記換気装置が設置された前記下側天井裏空間へ向けてその上方の前記上側天井裏空間から下方へと延び、当該換気装置に接続されていることを特徴とする請求項５に記載の建物におけるダクト設置構造。
【請求項７】
居室と、その居室に向けて延びる廊下とを有する建物に適用され、
前記換気ダクトは、屋外の空気を前記居室へ搬送するものであり、
前記空調ダクトは、前記空調用の空気を前記居室へ搬送するものであり、
前記廊下の上方には、当該廊下に沿って延びる前記下側天井裏空間が形成されており、
前記空調ダクトは、前記下側天井裏空間において前記廊下に沿って配設されており、
前記換気ダクトは、前記上側天井裏空間において前記空調ダクトと上下に並んだ状態で当該空調ダクトに沿って配設されていることを特徴とする請求項５又は６に記載の建物におけるダクト設置構造。
【請求項８】
前記第１ダクトは、長尺状のダクト部材により構成されており、
前記第２ダクトは、短尺状のダクト部材が複数連結されることにより構成されていることを特徴とする請求項１乃至７のいずれか一項に記載の建物におけるダクト設置構造。
【請求項９】
複数の前記建物ユニット上に跨がって形成された陸屋根を有する建物に適用され、
前記陸屋根直下の前記建物ユニットに前記上側天井裏空間と前記下側天井裏空間とがそれぞれ形成されており、
当該上側天井裏空間に前記第１ダクトが設けられ、当該下側天井裏空間に前記第２ダクトが設けられていることを特徴とする請求項１乃至８のいずれか一項に記載の建物におけるダクト設置構造。
【発明の詳細な説明】
【技術分野】
【０００１】
本発明は、建物におけるダクト設置構造に関する。
【背景技術】
【０００２】
住宅等の建物には、建物内の空調及び換気を行う空調換気システムが設けられている場合がある（例えば特許文献１参照）。かかる空調換気システムでは、空調装置により生成される空調用の空気を搬送する空調ダクトと、屋外の空気を屋内へと搬送する換気ダクトとが設けられている。
【０００３】
ところで、複数の建物ユニットにより構築されるユニット式建物に上述の空調換気システムが設けられる場合、例えば空調ダクトと換気ダクトとが建物ユニットの天井裏に設置される。建物ユニットの天井裏空間は、天井大梁により囲まれた内側空間として形成されているため、この場合かかる内側空間に空調ダクトと換気ダクトとが設置される。
【先行技術文献】
【特許文献】
【０００４】
【特許文献１】特開平１１−２９４８３９号公報
【発明の概要】
【発明が解決しようとする課題】
【０００５】
ここで、空調ダクトと換気ダクトとが建物ユニットの天井裏に設置される上述の構成では、空調ダクトと換気ダクトとが途中で交差する等して上下に並ぶ場合が考えられる。しかしながら、建物ユニットの天井裏空間は、その上下寸法が天井大梁の高さ寸法により概ね規定されているため、建物ユニットの天井裏空間に空調ダクトと換気ダクトとを上下に並ぶように配設しようとしても配設できない場合が想定される。その場合、それらのダクトの配設経路を変更せざるを得なくなる等、ダクトの配設態様に関する自由度が制約されるおそれがある。
【０００６】
なお、このような問題は、建物ユニットの天井裏に空調ダクトと換気ダクトとが配設される場合に限らず、建物ユニットの天井裏に複数のダクトが配設される場合にはダクトの種類にかかわらず同様に生じうる問題である。
【０００７】
本発明は、上記事情に鑑みてなされたものであり、建物ユニットの天井裏に複数のダクトを配設するにあたり、その配設態様に関する自由度の制約を少なくすることができる建物におけるダクト設置構造を提供することを主たる目的とするものである。
【課題を解決するための手段】
【０００８】
上記課題を解決すべく、第１の発明の建物におけるダクト設置構造は、天井梁、床梁及び柱を有してなる複数の建物ユニットが互いに組み合わされることで構築されるユニット式の建物に適用され、前記建物ユニットの天井裏には、空気を搬送する通気ダクトとして第１ダクト及び第２ダクトが設置されている建物におけるダクト設置構造であって、前記建物ユニットの天井部には、下がり天井が設けられており、前記下がり天井の上方には、天井裏空間が形成されており、前記天井裏空間は、前記天井梁としての天井大梁により囲まれて形成された上側天井裏空間と、前記天井大梁よりも下方であってかつ前記下がり天井よりも上方に形成された下側天井裏空間とを有し、前記上側天井裏空間には前記第１ダクトが配設されており、前記下側天井裏空間には前記第２ダクトが配設されていることを特徴とする。
【０００９】
本発明によれば、建物ユニットの天井部に設けられた下がり天井の上方に天井裏空間が形成されている。この天井裏空間には、天井大梁により囲まれて形成された上側天井裏空間と、天井大梁よりも下方であってかつ下がり天井よりも上方に形成された下側天井裏空間とが含まれている。そして、建物ユニットの天井裏では、上側天井裏空間に第１ダクトが配設され、下側天井裏空間に第２ダクトが配設されているため、それら複数の通気ダクトを建物ユニットの天井裏にて互いに干渉することなく上下に並べて配設することができる。これにより、建物ユニットの天井裏に複数のダクトを配設するにあたって、その配設態様に関する自由度の制約を少なくすることができる。
【００１０】
第２の発明の建物におけるダクト設置構造は、第１の発明において、前記第１ダクトは、その断面の大きさが小さい小ダクトであり、前記第２ダクトは、その断面の大きさが大きい大ダクトであることを特徴とする。
【００１１】
上側天井裏空間は、その上下寸法が天井大梁の高さ寸法により概ね規定されているのに対し、下側天井裏空間は、その上下寸法を下側天井面材の設置高さを下げる等することで大きくすることが可能である。そこで本発明では、この点に鑑みて、複数の通気ダクトのうち断面の大きさが小さい小ダクト（第１ダクト）を上側天井裏空間に配設し、断面の大きさが大きい大ダクト（第２ダクト）を下側天井裏空間に配設している。この場合、各通気ダクトの断面の大きさに応じた好適なダクト設置を実現することができる。
【００１２】
第３の発明の建物におけるダクト設置構造は、第１又は第２の発明において、隣り合う前記建物ユニットの前記上側天井裏空間は、それら各建物ユニットの前記天井大梁に形成された梁貫通孔を介して互いに連通しており、前記第１ダクトは、前記梁貫通孔を挿通可能な大きさで形成されており、前記第２ダクトは、前記梁貫通孔を挿通不能な大きさで形成されていることを特徴とする。
【００１３】
本発明によれば、複数の通気ダクトのうち天井大梁に形成された梁貫通孔を挿通可能な大きさで形成されたダクト（第１ダクト）を上側天井裏空間に配設し、梁貫通孔を挿通不能な大きさで形成されたダクト（第２ダクト）を下側天井裏空間に配設している。この場合、第１ダクトについては梁貫通孔を通じて隣り合う建物ユニットの上側天井裏空間に跨がって配設することができ、その配設態様に関する自由度を高めることができる。
【００１４】
第４の発明の建物におけるダクト設置構造は、第３の発明において、前記隣り合う建物ユニットにはそれぞれ前記下側天井裏空間が形成されており、前記第１ダクトは、前記梁貫通孔を通じて前記隣り合う建物ユニットの前記上側天井裏空間に跨がって配設されており、前記第２ダクトは、前記隣り合う建物ユニットの前記下側天井裏空間に跨がって配設されていることを特徴とする。
【００１５】
本発明によれば、隣り合う建物ユニットの上側天井裏空間に跨がって第１ダクトが配設され、隣り合う建物ユニットの下側天井裏空間に跨がって第２ダクトが配設されている。この場合、梁貫通孔を挿通可能な第１ダクトに加えて、梁貫通孔を挿通不能な第２ダクトについてもユニット間を跨いだ設置が可能となる。そのため、第１ダクト及び第２ダクトをそれぞれ上下に並べた状態でユニット間を跨いで設置するといったことが可能となる。
【００１６】
第５の発明の建物におけるダクト設置構造は、第１乃至第４のいずれかの発明において、前記第１ダクトは、屋外の空気を屋内へ向けて又は屋内の空気を屋外へ向けて搬送する換気ダクトであり、前記第２ダクトは、空調装置により生成される空調用の空気を搬送する空調ダクトであることを特徴とする。
【００１７】
一般に空調空気（暖気又は冷気）を搬送する空調ダクトは高い断熱性能が要求されるため、断熱材料等により比較的大きな厚みで形成される。それに対し、屋外の空気を屋内へ向けて搬送する又は屋内の空気を屋外へ向けて搬送する換気ダクトは、それほど断熱性能が求められないため、空調ダクトと比べて小さい厚みで形成される。そのため、空調ダクトと換気ダクトとで断面の大きさを比較すると、空調ダクトの方が断面が大きく、換気ダクトの方が断面が小さい場合が多い。
【００１８】
そこで本発明では、この点に着目し、換気ダクトを上側天井裏空間に配設し、空調ダクトを下側天井裏空間に配設している。上述した通り、上側天井裏空間はその上下寸法が天井大梁により概ね規定されているのに対し、下側天井裏空間はその上下寸法を下側天井面材の設置位置を下げる等して大きくすることが可能であるため、この場合、空調ダクト及び換気ダクトの断面の大きさを考慮した好適なダクト設置を実現することができる。
【００１９】
第６の発明の建物におけるダクト設置構造は、第５の発明において、前記換気ダクトには、当該換気ダクトを通じた空気の搬送を行う換気装置が接続されており、前記換気装置は、前記空調ダクトが設けられた前記下側天井裏空間又はそれとは別の下側天井裏空間に設置されており、前記換気ダクトは、前記換気装置が設置された前記下側天井裏空間へ向けてその上方の前記上側天井裏空間から下方へと延び、当該換気装置に接続されていることを特徴とする。
【００２０】
通常、換気ダクトには換気装置が接続されており、その換気装置により換気ダクトを通じた空気の搬送が行われる。具体的には、換気ダクトが屋外の空気を屋内へと搬送する給気ダクトの場合、換気装置により屋外の空気が給気ダクトを通じて屋内へ取り込まれる。また、換気ダクトが屋内の空気を屋外へと搬送する排気ダクトの場合、換気装置により屋内の空気が排気ダクトを通じて屋外へ排出される。ここで、この種の換気装置は、一般に換気ダクトと比べると、上下寸法が大きい。そこで本発明では、この点に鑑みて、換気装置を下側天井裏空間に配設している。これにより、換気装置を天井裏に好適に設置することができる。
【００２１】
第７の発明の建物におけるダクト設置構造は、第５又は第６の発明において、居室と、その居室に向けて延びる廊下とを有する建物に適用され、前記換気ダクトは、屋外の空気を前記居室へ搬送するものであり、前記空調ダクトは、前記空調用の空気を前記居室へ搬送するものであり、前記廊下の上方には、当該廊下に沿って延びる前記下側天井裏空間が形成されており、前記空調ダクトは、前記下側天井裏空間において前記廊下に沿って配設されており、前記換気ダクトは、前記上側天井裏空間において前記空調ダクトと上下に並んだ状態で当該空調ダクトに沿って配設されていることを特徴とする。
【００２２】
換気ダクトによる屋外の空気（換気用の空気）の搬送先と、空調ダクトによる空調用の空気の搬送先とが同じ居室である場合、換気ダクトと空調ダクトとがそれぞれ同じ居室へ向けて配設されるため、それら各ダクトの配設経路が同じ経路を辿ることが考えられる。この場合、例えば各ダクトを横並びにして同じ経路に沿って配設することが考えられるが、各ダクトを横並びに配設しようとしても、いずれかのダクトが天井小梁に干渉する等して配設できない場合が想定される。
【００２３】
この点本発明では、居室へ向けて延びる廊下の上方に下側天井裏空間が形成されており、その下側天井裏空間には空調ダクトが配設され、その上方の上側天井裏空間には換気ダクトが配設されている。そして、これら各ダクトは互いに上下に並んだ状態で廊下に沿って配設されているため、これら各ダクトを同じ居室へ向けて好適に配設することができる。よって、この場合、換気用の空気と空調用の空気とを同じ居室へ搬送するにあたって好ましい構成といえる。
【００２４】
第８の発明の建物におけるダクト設置構造は、第１乃至第７のいずれかの発明において、前記第１ダクトは、長尺状のダクト部材により構成されており、前記第２ダクトは、短尺状のダクト部材が複数連結されることにより構成されていることを特徴とする。
【００２５】
ところで、通気ダクトとして、短尺状のダクト部材が複数連結されることにより構成されているものがある。かかる通気ダクトは、施工時に、天井下から各ダクト部材を互いに連結することでダクトを構築することが考えられる。そこで本発明では、この点に鑑みて、かかる通気ダクト（第２ダクト）を下側天井裏空間に配設している。この場合、天井下から各ダクト部材を連結する作業をし易くすることができるため、ダクトの設置作業を好適に行うことが可能となる。
【００２６】
第９の発明の建物におけるダクト設置構造は、第１乃至第８のいずれかの発明において、複数の前記建物ユニット上に跨がって形成された陸屋根を有する建物に適用され、前記陸屋根直下の前記建物ユニットに前記上側天井裏空間と前記下側天井裏空間とがそれぞれ形成されており、当該上側天井裏空間に前記第１ダクトが設けられ、当該下側天井裏空間に前記第２ダクトが設けられていることを特徴とする。
【００２７】
屋根部が切り妻式や寄せ棟式の傾斜屋根からなる建物では、屋根部に屋根裏空間（小屋裏空間）が形成されているため、屋根部の直下に配設された建物ユニットの天井裏に複数の通気ダクトを設置するにあたり、それらのダクトを天井裏のみならず屋根裏を利用して設置することが可能となる。これに対して、屋根部が陸屋根からなる建物では、上記のような屋根裏を利用したダクトの設置を行うことができないため、複数の通気ダクトを上下に並んで配設することができない等、ダクトの配設態様に制約が生じ易い。その点本発明では、かかる構成に第１の発明を適用しているため、陸屋根直下の天井裏であっても複数の通気ダクトを互いに干渉することなく上下に並べて配設することができ、それらダクトの配設態様に関する自由度の制約を少なくすることができる。
【図面の簡単な説明】
【００２８】
【図１】ユニット式建物の概要を示す斜視図。
【図２】建物ユニットの構成を示す斜視図。
【図３】二階部分の構成を示す縦断面図。
【図４】空調システムの構成を示す斜視図。
【発明を実施するための形態】
【００２９】
以下、本発明を具体化した一実施形態について図面を参照しつつ説明する。本実施形態では、鉄骨ラーメン構造を有する二階建てのユニット式建物において本発明を具体化している。図１はユニット式建物の概要を示す斜視図であり、図２は建物ユニット２０の構成を示す斜視図である。
【００３０】
図１に示すように、住宅等の建物１０は、基礎１１上に設けられた建物本体１２と、その上方に設けられた屋根部１３とを備える。建物本体１２は、下階部としての一階部分１４と、上階部としての二階部分１５とを有する二階建てであり、複数の建物ユニット２０が互いに連結されることにより構成されている。建物ユニット２０は製造工場においてあらかじめ製造され、その後施工現場にトラック等により運搬されるものとなっている。また、屋根部１３は、陸屋根（フラットルーフ）として構成されている。
【００３１】
図２には建物ユニット２０の斜視図を示す。図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。天井大梁２２（詳細には、そのウエブ）には、複数の箇所に梁貫通孔２２ａが設けられている。
【００３２】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７（詳細には、後述する上側天井面材２７）が支持され、床小梁２６によって床面材２８が支持されている。
【００３３】
続いて、建物１０の二階部分１５の構成について図３に基づいて説明する。図３は、二階部分１５の構成を示す縦断面図である。
【００３４】
図３に示すように、二階部分１５には、屋内空間として、居室１６と廊下１７と機械室１８と納戸１９とが設けられている。廊下１７は、居室１６と機械室１８とを繋いでいる。廊下１７は間仕切壁３１により居室１６と仕切られている。間仕切壁３１には、廊下１７から居室１６へ出入りするための出入口３２が設けられ、その出入口３２にはドア３３が設けられている。ドア３３は、その下端部がアンダーカットされており、ドア３３と床面４９との間には居室１６と廊下１７とを連通する通気部３４が形成されている。
【００３５】
機械室１８は、廊下１７を挟んで居室１６とは反対側に設けられている。機械室１８は、その三方が間仕切壁３５により囲まれており、その一側面には廊下１７に向けて開口する開口部３６が形成されている。開口部３６には、上下一対のドア３７，３８が設けられている。
【００３６】
機械室１８には、その床面４９上に空調装置６１が設置されている。また、機械室１８の上部には、物品を収納可能な収納棚３９が設置されている。開口部３６において収納棚３９よりも下側の部分は空調装置６１をメンテナンスする際に用いられるメンテナンス開口部４８となっている。上下一対のドア３７，３８のうち、上側のドア３７は収納棚３９を開閉するためのドアとなっており、下側のドア３８はメンテナンス開口部４８を開閉するためのドアとなっている。ドア３８は、その下端部がアンダーカットされており、ドア３８の下端部と床面４９との間には廊下１７と機械室１８とを連通する通気部４１が形成されている。
【００３７】
納戸１９は、機械室１８を挟んで廊下１７とは反対側に設けられている。納戸１９は、間仕切壁３５により機械室１８と仕切られている。納戸１９は、図示しない廊下と間仕切壁４２により仕切られている。間仕切壁４２には、廊下から納戸１９へ出入りするための出入口４３が形成されており、その出入口４３にはドア４４が設けられている。ドア４４はその下端部がアンダーカットされており、ドア４４と床面４９との間には廊下と納戸１９とを連通する通気部４６が形成されている。
【００３８】
納戸１９は、外壁部５１によって屋外と仕切られている。外壁部５１には、納戸１９と屋外とを連通する窓部５２が形成されている。窓部５２には、当該窓部５２を開閉する窓戸５３が設けられている。外壁部５１は、横並びに設けられた複数の外壁パネル５１ａを備える。図示は省略するが、外壁パネル５１ａは、屋外に面して設けられた外壁面材と、その裏面側に固定された外壁フレームとを有しており、外壁フレームが天井大梁２２及び床大梁２３に屋外側から取り付けられることで外壁パネル５１ａが建物ユニット２０に固定されている。
【００３９】
上述した居室１６、廊下１７、機械室１８及び納戸１９は横並びに設けられた複数（具体的には３つ）の建物ユニット２０により形成されている。以下、説明の便宜上、これら各建物ユニット２０の符号にそれぞれＡ〜Ｃを付す。具体的には、図３における左側の建物ユニット２０から右側の建物ユニット２０にかけて順にＡ，Ｂ，Ｃを付す。この場合、居室１６、機械室１８及び納戸１９がそれぞれ一の建物ユニット２０Ａ，２０Ｂ，２０Ｃにより形成されており、廊下１７が複数（具体的には２つ）の建物ユニット２０Ａ，２０Ｂに跨がって形成されている。
【００４０】
続いて、二階部分１５の天井部の構成について説明する。
【００４１】
二階部分１５の天井部には、天井面材として、上側天井面材２７と、上側天井面材２７の下方に配置された下側天井面材５６（下がり天井に相当）とが設けられている。上側天井面材２７と下側天井面材５６とはいずれも石膏ボードにより構成されている。上側天井面材２７は、各屋内空間１６〜１９の天井部（換言すると各建物ユニット２０Ａ〜２０Ｃの天井部）にそれぞれ設けられている。上側天井面材２７は、天井大梁２２及び天井小梁２５（図３では便宜上図示を省略している）の下面に設けられた野縁５４により上方から支持されている。
【００４２】
下側天井面材５６は、廊下１７の天井部と納戸１９の天井部とにそれぞれ設けられている。廊下１７の天井部に設けられた下側天井面材５６は、廊下１７を挟んで対向する各間仕切壁４５の間に架け渡された状態で支持されている。具体的には、各間仕切壁４５の間には、矩形枠状の天井フレーム４７が複数架け渡されており（図４参照）、これら天井フレーム４７の下面側に下側天井面材５６が取り付けられている。
【００４３】
上記のように、各屋内空間１６〜１９に上側天井面材２７及び下側天井面材５６が配設されることで、居室１６及び機械室１８については上側天井面材２７により天井面が形成され、廊下１７及び納戸１９については下側天井面材５６により天井面が形成されている。したがって、廊下１７及び納戸１９は、天井高さが居室１６及び機械室１８よりも低くされた低天井空間となっており、それとは逆に居室１６及び機械室１８は、天井高さが廊下１７及び納戸１９よりも高くされた高天井空間となっている。
【００４４】
天井面材２７，５６の上方には天井裏空間５８，５９が形成されている。天井裏空間５８，５９は天井面材２７，５６により屋内空間１６〜１９と上下に仕切られている。天井裏空間５８，５９には、上側天井面材２７とその上方の屋根部１３との間に形成された上側天井裏空間５８と、上側天井面材２７と下側天井面材５６との間に形成された下側天井裏空間５９とがある。これら各天井裏空間５８，５９は上側天井面材２７により上下に仕切られている。
【００４５】
上側天井裏空間５８は、建物ユニット２０の各天井大梁２２により囲まれた内側空間として形成されている。上側天井裏空間５８は、各建物ユニット２０Ａ〜２０Ｃごとにそれぞれ形成されており、以下においては、各建物ユニット２０Ａ〜２０Ｃの上側天井裏空間５８の符号にそれぞれＡ〜Ｃを付す。上側天井裏空間５８の上下寸法Ｈ１（高さ寸法）、すなわち上側天井面材２７から屋根部１３までの上下寸法Ｈ１は概ね天井大梁２２の高さ寸法と同じとなっており、詳しくは天井大梁２２の高さ寸法よりも若干大きくなっている。また、各上側天井裏空間５８Ａ〜５８Ｃは天井大梁２２の梁貫通孔２２ａを介して互いに連通している。なお、屋根部１３（陸屋根）は各建物ユニット２０Ａ〜２０Ｃの天井大梁２２の上面に跨がって設けられている。
【００４６】
下側天井裏空間５９は、廊下１７の上方と納戸１９の上方とにそれぞれ設けられている。廊下１７上方の下側天井裏空間５９（以下、この符号にａを付す）は複数（具体的には２つ）の建物ユニット２０Ａ，２０Ｂに跨がって形成されている。下側天井裏空間５９ａは天井大梁２２よりも下方に形成されているため、天井大梁２２によって分断されず、各建物ユニット２０Ａ，２０Ｂに跨がって連続して形成されている。なお、以下の説明では、下側天井裏空間５９ａのうち建物ユニット２０Ａに形成された部分を下側天井裏空間５９Ａといい、建物ユニット２０Ｂに形成された部分を下側天井裏空間５９Ｂという。
【００４７】
納戸１９上方の下側天井裏空間５９（以下、この符号にｂを付す）は建物ユニット２０Ｃに形成されている。下側天井裏空間５９ｂは、間仕切壁３５，４２及び外壁部５１により周囲を囲まれており、その上下寸法が廊下１７上方の下側天井裏空間５９ａの上下寸法と同じとなっている。また、これら下側天井裏空間５９ａ，５９ｂの上下寸法Ｈ２（詳しくは各天井面材２７，５６間の上下寸法）は上側天井裏空間５８の上下寸法Ｈ１よりも大きくなっている。
【００４８】
二階部分１５の床部には、床大梁２３上及び床小梁２６（図３では図示を省略している）上にそれぞれ根太５７が設けられており、それら根太５７の上に床面材２８が設けられている。床面材２８は、例えばパーティクルボードよりなる。この床面材２８により屋内空間１６〜１９の床面４９が形成されている。
【００４９】
本実施形態では、建物１０の二階部分１５に、屋内空間の空調を行う空調システム６０と、屋内空間の換気を行う換気システム７０とが設けられている。以下、これら空調システム６０及び換気システム７０の構成について説明する。
【００５０】
まず空調システム６０の構成について図３に加え図４を用いながら説明する。図４は空調システム６０の構成を示す斜視図である。なお、図４では便宜上、紙面手前側の間仕切壁４５の図示を省略している。
【００５１】
図３及び図４に示すように、空調システム６０は、空調空気（暖気及び冷気）を生成する空調装置６１と、空調装置６１に接続された空調ダクト６２と、空調ダクト６２に接続された吹出チャンバ６３とを備える。空調装置６１は、機械室１８に設置された室内機として構成されている。空調装置６１は、廊下１７から機械室１８に流れ込む空気を還気として取り込み、その還気をもとに空調空気を生成する。そして、空調装置６１は、その生成した空調空気を空調ダクト６２へ供給する。
【００５２】
空調ダクト６２は、廊下１７上方の下側天井裏空間５９ａに設置されている。空調ダクト６２は、下側天井裏空間５９ａにおいて廊下１７に沿って延びており、各下側天井裏空間５９Ａ，５９Ｂに跨がって配設されている。空調ダクト６２は、その一端側が下側天井裏空間５９ａから機械室１８に突出しており、その突出部分が接続ダクト６４を介して空調装置６１に接続されている。また、空調ダクト６２の他端側は居室１６に向かって延びている。なお、空調ダクト６２が「第２ダクト」及び「大ダクト」に相当する。
【００５３】
空調ダクト６２は、横並びに設けられた複数のダクト部６６を有し、それら各ダクト部６６が互いに連結されることにより構成されている。各ダクト部６６は、断熱性能に優れたポリスチレンフォーム等の発泡スチロールにより四角筒状に形成されている。各ダクト部６６（ひいては空調ダクト６２）は、その高さ寸法（上下寸法）が上側天井裏空間５８の上下寸法Ｈ１よりも大きく、かつ、下側天井裏空間５９の上下寸法Ｈ２よりも小さい寸法に設定されている。なお、各ダクト部６６がそれぞれ「短尺状のダクト部材」に相当する。
【００５４】
なお、各ダクト部６６は必ずしも発泡スチロールにより形成される必要はなく、発泡スチロール以外の樹脂材料により形成されてもよい。また、各ダクト部６６は、金属材料等、樹脂材料以外の材料により形成されてもよい。
【００５５】
図示は省略するが、隣り合うダクト部６６同士は長尺状の連結部材により互いに連結されている。隣り合うダクト部６６の側面にはそれぞれ互いに対向する突出部６６ａが設けられ、それら対向する突出部６６ａにはそれら各突出部６６ａを束ねるように連結部材が取り付けられている。これにより、隣り合うダクト部６６同士が互いに連結されている。
【００５６】
吹出チャンバ６３は、空調ダクト６２（詳しくはダクト部６６）の側面部に接続されている。本実施形態では、吹出チャンバ６３が空調ダクト６２において複数箇所（具体的には３箇所）に接続されている。吹出チャンバ６３は空調空気を吹き出す吹出口６７を有している。空調ダクト６２から吹出チャンバ６３に空調空気が供給されると、その吹出口６７より空調空気が屋内空間に向けて吹き出される。また、各吹出チャンバ６３の吹出口６７側には矩形枠状の吹出グリル６９が設けられている。
【００５７】
各吹出チャンバ６３のうち一部の吹出チャンバ６３は、空調ダクト６２の先端部（接続ダクト６４とは反対側の端部）における側面部に接続されている。この吹出チャンバ６３は、間仕切壁３１に形成された開口部６８に配設されており、空調空気を居室１６へ向けて吹き出すものとなっている。具体的には、この吹出チャンバ６３は、上側天井面材２７と下側天井面材５６との間の段差部に配設されており、空調空気を居室１６へ向けて横向きに吹き出すものとなっている。かかる吹出チャンバ６３より居室１６へ吹き出された空調空気は、ドア３３下の通気部３４等を通じて廊下１７へ流れ込み、その後ドア３８下の通気部４１を通じて機械室１８へと流れ込むようになっている。
【００５８】
続いて、換気システム７０の構成について図３に基づいて説明する。
【００５９】
図３に示すように、換気システム７０は、換気装置７１と、換気装置７１に接続された複数のダクト７２〜７４とを備える。換気装置７１は、納戸１９の下側天井裏空間５９ｂにおいて外壁部５１寄りに設置されている。換気装置７１は、直方体状に形成されており、その上下寸法（高さ寸法）が各ダクト７２〜７４よりも大きくなっている。より詳しくは、換気装置７１の上下寸法は上側天井裏空間５８の上下寸法Ｈ１よりも大きく、かつ、下側天井裏空間５９の上下寸法Ｈ２よりも小さくなっている。
【００６０】
換気装置７１には、屋外に通じる取込ダクト７２及び排出ダクト７３が接続されている。取込ダクト７２及び排出ダクト７３はそれぞれ外壁部５１に形成された挿通孔７８に挿通されている。なお、図３では、取込ダクト７２及び排出ダクト７３が１本のダクトで示されているが、これら各ダクト７２，７３は紙面奥行き方向に並んで配置されている。
【００６１】
換気装置７１には、給気ダクト７４が接続されている。給気ダクト７４は、樹脂材料又は金属材料により形成された円管状のフレキシブル管（長尺状のダクト部材に相当）からなる。給気ダクト７４は、空調ダクト６２とは異なり、それ程断熱性能が要求されないため、断熱材料（断熱素材）等で厚みを大きくする必要がない。そのため、給気ダクト７４は、その厚みが空調ダクト６２よりも小さくされており、さらにはその断面の大きさが空調ダクト６２よりも小さくされている。より詳しくは、給気ダクト７４は、その外径が天井大梁２２の梁貫通孔２２ａの孔径よりも小さくされている。なお、給気ダクト７４が「換気ダクト」、「第１ダクト」及び「小ダクト」に相当する。
【００６２】
給気ダクト７４は、建物ユニット２０Ｃにおいて上側天井面材２７に形成された挿通孔部７９を通じて下側天井裏空間５９ｂから上側天井裏空間５８Ｃへと延びている。さらに、給気ダクト７４は、その上側天井裏空間５８Ｃから建物ユニット２０Ｂの上側天井裏空間５８Ｂを経由して建物ユニット２０Ａの上側天井裏空間５８Ａへと延びている。この場合、給気ダクト７４は、天井大梁２２に形成された梁貫通孔２２ａを通じてこれら各上側天井裏空間５８Ａ〜５８Ｃに跨がって延びている。なお、給気ダクト７４は、各上側天井裏空間５８Ａ〜５８Ｃにおいて天井小梁２５に沿って延びている。
【００６３】
給気ダクト７４は、廊下１７の上方において各上側天井裏空間５８Ａ，５８Ｂに跨がって延びている。この場合、給気ダクト７４は、廊下１７に沿って延びており、その一端部が居室１６の天井面に設けられた給気グリル７６に接続されている。したがって、廊下１７の上方では、下側天井裏空間５９ａに配設された空調ダクト６２と、上側天井裏空間５８Ａ，５８Ｂに配設された給気ダクト７４とがそれぞれ上下に並んだ状態で廊下１７に沿って延びている。
【００６４】
換気装置７１は、その内部に取込ファン（図示略）を有している。この取込ファンが作動すると、取込ダクト７２を介して屋外の空気（外気）が換気装置７１に取り込まれるとともに、その取り込まれた空気が給気ダクト７４を介して給気グリル７６へと供給される。そして、その供給された空気が給気グリル７６より居室１６に向けて（下向きに）吹き出される。
【００６５】
居室１６へ吹き出された空気はドア３３，４４下に形成された通気部３４，４６を介して納戸１９へと流れ込む。納戸１９の下側天井面材５６には吸込グリル８１が設けられており、この吸込グリル８１は換気装置７１と接続されている。換気装置７１は、その内部に排気ファン（図示略）を有している。排気ファンが作動すると、吸込グリル８１を介して納戸１９の空気（内気）が換気装置７１に吸い込まれ、その吸い込まれた空気が換気装置７１より排出ダクト７３を介して屋外に排出される。このようにして、居室１６（ひいては屋内空間）の換気が行われるようになっている。
【００６６】
次に、空調ダクト６２及び給気ダクト７４を二階部分１５の天井裏に設置する際の作業手順について説明する。
【００６７】
まず製造工場において各建物ユニット２０を製造し、それら製造した建物ユニット２０をトラック等により施工現場へ搬送する。施工現場ではまず、製造工場から搬送されてきた各建物ユニット２０を所定の設置位置に設置する。
【００６８】
各建物ユニット２０を設置後、空調ダクト６２の設置作業を行う。この設置作業に際しては、まず廊下１７の天井部に天井フレーム４７を組み付ける作業を行う。但し、天井フレーム４７を製造工場において予め建物ユニット２０に組み付けるようにしてもよい。
【００６９】
天井フレーム４７の組み付け後、空調ダクト６２を天井フレーム４７上に設置する作業を行う。ここでは、かかる設置作業を天井下（すなわち廊下１７側）から行うことを想定している。この設置作業では、空調ダクト６２を構成する各ダクト部６６を順次天井フレーム４７上に載置するとともに、ダクト部６６同士を連結部材により連結していく。なお、ダクト部６６を天井フレーム４７上に載置する際には、ダクト部６６を天井フレーム４７の枠内を通してフレーム４７上まで持ち上げて載置する。この際、ダクト部６６は発泡スチロールにより形成されて比較的軽量となっているため、かかるダクト部６６の持ち上げを容易に行うことが可能となっている。空調ダクト６２を設置後、天井フレーム４７に下側天井面材５６を組み付ける。
【００７０】
次に、給気ダクト７４の設置作業を行う。給気ダクト７４の設置作業は建物ユニット２０上にて行う。この作業では、給気ダクト７４を天井大梁２２の梁貫通孔２２ａに挿通して各建物ユニット２０の上側天井裏空間５８Ａ〜５８Ｃに跨がって配設する。その後、給気ダクト７４の両端部をそれぞれ換気装置７１及び給気グリル７６に接続する。但し、給気ダクト７４のいずれかの端部を換気装置７１又は給気グリル７６に先付けしておいてから給気ダクト７４を上側天井裏空間５８Ａ〜５８Ｃに配設してもよい。
【００７１】
以上、詳述した本実施形態の構成によれば、以下の優れた効果が得られる。
【００７２】
建物ユニット２０の天井部において、天井梁２２，２５により支持された上側天井面材２７の上方に天井大梁２２により囲まれた上側天井裏空間５８を形成し、上側天井面材２７とそれよりも下方に配置された下側天井面材５６との間に下側天井裏空間５９を形成した。そして、これら各天井裏空間５８，５９のうち、上側天井裏空間５８に給気ダクト７４を配設し、下側天井裏空間５９に空調ダクト６２を配設したため、建物ユニット２０の天井裏において給気ダクト７４と空調ダクト６２とを互いに干渉することなく上下に並べて配設することが可能となる。これにより、建物ユニット２０の天井裏に複数のダクト６２，７４を配設するにあたって、その配設態様に関する自由度の制約を少なくすることができる。
【００７３】
一般に空調空気（暖気又は冷気）を搬送する空調ダクト６２は高い断熱性能が要求されるため、断熱材料等により比較的大きな厚みで形成されるのに対し、屋外の空気を屋内空間（居室１６）へ向けて搬送する給気ダクト７４は、それほど断熱性能が求められないため、空調ダクト６２と比べて小さい厚みで形成される。そのため、空調ダクト６２と給気ダクト７４とで断面の大きさを比較すると、空調ダクト６２の方が断面が大きく、給気ダクト７４の方が断面が小さい。より詳しくは、空調ダクト６２の方が断面高さが大きく、給気ダクト７４の方が断面高さが小さい。そこで上記の実施形態では、この点に鑑みて、給気ダクト７４を上側天井裏空間５８（５８Ａ，５８Ｂ）に配設し、空調ダクト６２を下側天井裏空間５９ａ（５９Ａ，５９Ｂ）に配設している。上側天井裏空間５８はその上下寸法Ｈ１が天井大梁２２により概ね規定されているのに対し、下側天井裏空間５９はその上下寸法Ｈ２を下側天井面材５６の設置位置を下げる等して大きくすることが可能であるため、この場合、空調ダクト６２及び給気ダクト７４の断面の大きさを考慮した好適なダクト設置を実現することができる。
【００７４】
給気ダクト７４及び空調ダクト６２のうち、天井大梁２２の梁貫通孔２２ａを挿通可能な大きさで形成された給気ダクト７４を上側天井裏空間５８に配設し、梁貫通孔２２ａを挿通不能な大きさで形成された空調ダクト６２を下側天井裏空間５９に配設した。この場合、給気ダクト７４については梁貫通孔２２ａを通じて隣り合う建物ユニット２０Ａ，２０Ｂの上側天井裏空間５８Ａ，５８Ｂに跨がって配設することができ、その配設態様に関する自由度を高めることができる。
【００７５】
隣り合う建物ユニット２０Ａ，２０Ｂにそれぞれ上側天井裏空間５８Ａ，５８Ｂに加え下側天井裏空間５９Ａ，５９Ｂを形成した。そして、それら各建物ユニット２０Ａ，２０Ｂの上側天井裏空間５８Ａ，５８Ｂに跨がって給気ダクト７４を配設し、各建物ユニット２０Ａ，２０Ｂの下側天井裏空間５９Ａ，５９Ｂに跨がって空調ダクト６２を配設した。この場合、梁貫通孔２２ａを挿通可能な給気ダクト７４に加えて、梁貫通孔２２ａを挿通不能な空調ダクト６２についても建物ユニット２０間を跨いだ設置が可能となる。そのため、給気ダクト７４及び空調ダクト６２を上下に並べた状態でユニット間を跨いで設置することが可能となる。
【００７６】
給気ダクト７４に、当該給気ダクト７４を通じて屋外の空気を屋内空間（居室１６）へ取り込む（搬送する）換気装置７１を接続し、その換気装置７１を下側天井裏空間５９ｂに配設した。換気装置７１は、その上下寸法が給気ダクト７４よりも大きいため、この場合換気装置７１を好適に設置することができる。
【００７７】
居室１６へ向けて延びる廊下１７の上方に下側天井裏空間５９ａを形成し、その下側天井裏空間５９ａに空調ダクト６２を配設し、その上方の上側天井裏空間５８Ａ，５８Ｂに給気ダクト７４を配設した。そして、これら各ダクト６２，７４を上下に並べた状態で廊下１７に沿って延びるように配設した。この場合、これら各ダクト６２，７４を同じ居室１６へ向けて好適に配設することができるため、換気用の空気（屋外の空気）と空調用の空気とを同じ居室１６へ搬送するにあたって好ましい構成といえる。
【００７８】
給気ダクト７４及び空調ダクト６２のうち、長尺状のフレキシブル管からなる給気ダクト７４を上側天井裏空間５８に配設し、短尺状のダクト部６６が複数連結されることにより構成される空調ダクト６２を下側天井裏空間５９に配設した。この場合、天井下から各ダクト部６６を連結して空調ダクト６２を構築するに際し、その作業をし易くすることができる。そのため、ダクトの設置作業を好適に行うことが可能となる。
【００７９】
屋根部が切り妻式や寄せ棟式の傾斜屋根からなる建物では、屋根部に屋根裏空間（小屋裏空間）が形成されているため、屋根部の直下に配設された建物ユニット２０の天井裏に複数の通気ダクトを設置するに際し、それらのダクトを天井裏のみならず屋根裏を利用して設置することが可能となる。それに対して、屋根部１３が陸屋根からなる上記実施形態の建物１０では、そのような屋根裏を利用したダクトの設置を行うことができないため、給気ダクト７４と空調ダクト６２とを上下に並んで配設できない等、ダクトの配設態様に制約が生じ易い。その点、かかる建物１０に上述のダクト設置構造、すなわち上側天井裏空間５８に給気ダクト７４を設置し、下側天井裏空間５９に空調ダクト６２を設置するダクト設置構造を適用したため、陸屋根直下の天井裏であっても複数の通気ダクト６２，７４を互いに干渉することなく上下に並べて配設することが可能となり、それらダクト６２，７４の配設態様に関する自由度の制約を少なくすることができる。
【００８０】
本発明は上記実施形態に限らず、例えば次のように実施されてもよい。
【００８１】
（１）上記実施形態では、上側天井裏空間５８に給気ダクト７４を設置し、下側天井裏空間５９に空調ダクト６２を設置したが、これを逆にしてもよい。すなわち、上側天井裏空間５８に空調ダクト６２を設置し、下側天井裏空間５９に給気ダクト７４を設置してもよい。但し、この場合、空調ダクト６２の上下寸法（断面高さ）が上側天井裏空間５８の上下寸法Ｈ１よりも小さくされている必要がある。
【００８２】
また、必ずしも上側天井裏空間５８及び下側天井裏空間５９のうち一方に空調ダクト６２を配設し、他方に給気ダクト７４を配設する必要はない。例えば空調システムに複数の空調ダクトが設けられている場合において、それら複数の空調ダクトをそれぞれ上側天井裏空間５８及び下側天井裏空間５９に別々に設置するようにしてもよい。また、換気システムに複数の給気ダクトが設けられている場合において、それら複数の給気ダクトをそれぞれ上側天井裏空間５８及び下側天井裏空間５９に別々に設置するようにしてもよい。
【００８３】
（２）上記実施形態では、屋外の空気を屋内空間へ向けて搬送する給気ダクト７４（換気ダクトに相当）を上側天井裏空間５８に配設する場合について説明したが、換気システムによっては、屋内空間の空気を屋外へ向けて搬送する排気ダクトが長尺状に形成されている場合もある。そこで、そのような場合に、その排気ダクト（換気ダクトに相当）を上側天井裏空間５８に配設するようにしてもよい。かかる排気ダクトも断熱性能が求められないため、空調ダクト６２と比べて小さい厚みで形成される。そのため、その断面の大きさも空調ダクト６２より小さい大きさとされる。したがって、この場合にも、排気ダクトを上側天井裏空間５８に配設し、空調ダクト６２を下側天井裏空間５９に配設することで、各ダクトの断面の大きさに応じた好適なダクト設置を実現することができる。
【００８４】
（３）上記（２）の構成において、排気ダクト（の上流側）に換気装置を接続し、その換気装置により屋内空間の空気を排気ダクトを通じて屋外へ排出することが考えられる。このような構成にあっても、換気装置を下側天井裏空間５９に配設するようにすれば、換気装置を天井裏に好適に設置することができる。
【００８５】
（４）上記実施形態では、空調ダクト６２が設置された下側天井裏空間５９ａとは異なる下側天井裏空間５９ｂに換気装置７１を設置したが、下側天井裏空間５９ａに換気装置７１を設置するスペースが存在すれば、そのスペースに換気装置７１を設置するようにしてもよい。
【００８６】
（５）上記実施形態では、空調ダクト６２を短尺状のダクト部６６（短尺状のダクト部材）を複数連結することにより構成したが、空調ダクトを長尺管（長尺状のダクト部材）により構成してもよい。また、給気ダクト７４を短尺状のダクト部材を複数連結することにより構成してもよい。
【００８７】
（６）上記実施形態では、給気ダクト７４及び空調ダクト６２の双方について隣り合う建物ユニット２０Ａ，２０Ｂの天井裏空間５８Ａ，５８Ｂ（５９Ａ，５９Ｂ）に跨がって配設したが、これを変更して、給気ダクト７４及び空調ダクト６２のうち少なくとも一方のダクト６２，７４については一の建物ユニット２０の天井裏空間５８（５９）にのみ配設するようにしてもよい。その場合でも、その一の建物ユニット２０においては上側天井裏空間５８に給気ダクト７４が配設され、下側天井裏空間５９に空調ダクト６２が配設されるため、それら各ダクト６２，７４を上下に並んで配設することが可能となる。
【００８８】
（７）上記実施形態では、上側天井裏空間５８と下側天井裏空間５９とを上下に仕切る上側天井面材２７を設けたが、かかる上側天井面材２７を設けないようにしてもよい。この場合にも、下側天井面材５６（下がり天井に相当）上方の天井裏空間のうち、天井大梁２２により囲まれた内側空間が上側天井裏空間５８となり、天井大梁２２よりも下方であってかつ下側天井面材５６よりも上方の空間が下側天井裏空間５９となる。
【００８９】
（８）上記実施形態では、二階部分１５の建物ユニット２０の天井裏に本発明のダクト設置構造を適用したが、一階部分１４の建物ユニット２０の天井裏に本発明のダクト設置構造を適用してもよい。また、上記実施形態では、陸屋根（屋根部１３）を有する建物１０に本発明のダクト設置構造を適用したが、切り妻式や寄せ棟式の屋根（傾斜屋根）を有する建物に本発明のダクト設置構造を適用してもよい。
【符号の説明】
【００９０】
１０…建物、１３…屋根部、１６…居室、１７…廊下、２０…建物ユニット、２１…柱、２２…天井梁としての天井大梁、２２ａ…梁貫通孔、２５…天井梁としての天井小梁、２７…上側天井面材、５６…下がり天井としての下側天井面材、５８…上側天井裏空間、５９…下側天井裏空間、６２…通気ダクト、第２ダクト及び大ダクトとしての空調ダクト、６６…短尺状のダクト部材としてのダクト部、７１…換気装置、７４…通気ダクト、換気ダクト、第１ダクト及び小ダクトとしての給気ダクト。
【図１】
2015200101.tif 000003
【図２】
2015200101.tif 000004
【図３】
2015200101.tif 000005
【図４】
2015200101.tif 000006